(57)【要約】【課題】寿命末期検出によるインバータ回路の動作停止制御、予熱時間を変更する要求や始動電圧を変更する要求等に対して対応する。【解決手段】インバータ回路用集積回路５は、発振器５１と、電界効果トランジスタをスイッチング駆動するハイサイドドライバ５２と、２次電圧制御用出力を応答時間だけ送出する第１の信号処理手段５３と、点灯制御用出力を送出する第２の信号処理手段５４と、予熱時間を設定できる予熱制御手段５５と、予熱時間の終了後の次段制御を設定する状態変化信号を出力する状態変化出力端子と、少なくとも始動前の予熱時間は寿末検出を行わず、２次側過電圧等を検出すると寿命末期を検出してインバータ回路の動作を停止保持する寿末検出手段５９と、インバータ回路の動作を停止保持し、また、停止保持中であれば解除するリセット信号を入力するリセット端子６０を設けている。【選択図】図２
2006210189.tif 000002
【特許請求の範囲】
【請求項１】
外部から電流又は電圧を可変制御することで発振周波数が可変される発振器と；
放電ランプ点灯用ブリッジインバータ回路の少なくとも１対のスイッチング素子を前記発振器の発振周波数に基づいてスイッチング駆動するハイサイドドライバと；
外部接続される素子定数で第１の応答時間を所定値に設定でき、入力信号を処理して２次電圧制御用出力信号を送出する第１の信号処理手段と；
外部接続される素子定数で第１の応答時間よりも長い第２の応答時間を所定値に設定でき、入力信号を処理して点灯制御用出力信号を送出する第２の信号処理手段と；
外部接続される素子定数で始動前の予熱時間を所定値に設定できる予熱制御手段と；
予熱制御手段による予熱時間の終了後において、次段制御を外部において設定できるように状態変化信号を出力する状態変化出力端子と；
外部接続される素子定数で遅延時間を変化させることができ、２次側過電圧を検出するための検出端子および検出電圧の大小に関係なく異常電圧を検出するための検出端子を有するとともに少なくとも始動前の予熱時間は前記各検出端子からの電圧検出が行われないように動作を遅延させる遅延手段を有し、遅延後において検出端子から２次側過電圧あるいは異常電圧を検出すると放電ランプの寿命末期を検出してインバータ回路の動作を停止保持するための制御を行う寿末検出手段と；
インバータ回路が動作中の時にはその動作を停止保持し、また、停止保持中であればその停止保持を解除するリセット信号を入力するリセット端子と；
を具備したことを特徴とするインバータ回路用集積回路。
【請求項２】
請求項１記載のインバータ回路用集積回路と；
電源に接続され、前記インバータ回路用集積回路によって少なくとも１対のスイッチング素子がスイッチング駆動される放電ランプ点灯用ブリッジインバータ回路と；
インバータ回路によって予熱、始動、点灯動作される放電ランプと；
を具備したことを特徴とする放電ランプ点灯装置。
【請求項３】
請求項２記載の放電ランプ点灯装置と；
放電ランプ点灯装置を配設した照明器具本体と、
を具備したことを特徴とする照明器具。
【発明の詳細な説明】
【技術分野】
【０００１】
本発明は、放電ランプ点灯用ブリッジインバータ回路の駆動に使用されるインバータ回路用集積回路及びこの集積回路を使用した放電灯点灯装置並びにこの放電ランプ点灯装置を配設した照明器具に関する。
【背景技術】
【０００２】
従来、放電ランプ点灯装置は、直流電圧を高周波電圧に変換するインバータ回路から高周波電圧を放電ランプに供給することで放電ランプを点灯している。そして、インバータ回路をワンチップで構成したインバータ回路用集積回路で制御するとともに、このインバータ回路用集積回路に放電ランプの寿命末期時に検出信号を入力することでインバータ回路の発振を停止させる異常検出機能を設けたものが知られている（例えば、特許文献１参照。）。そして、インバータ回路の発振が停止することにより、放電ランプは消灯する。
【特許文献１】特開２００３−２０３７９５号公報（第１８〜１９頁）
【発明の開示】
【発明が解決しようとする課題】
【０００３】
特許文献１に使用されるインバータ回路用集積回路は、寿末検出機能を備えでいるが、例えばハーフブリッジインバータ回路の駆動において、予熱時間を変更する要求や始動電圧を変更する要求には充分に対応できないという問題があった。
【０００４】
本発明は、このような問題を解決するために為されたもので、放電ランプ点灯用ハーフブリッジインバータ回路の駆動において、寿命末期検出によるインバータ回路の動作停止制御は勿論、予熱時間を変更する要求や始動電圧を変更する要求等に対しても充分に対応できるインバータ回路用集積回路及びこのインバータ回路用集積回路を使用した放電ランプ点灯装置及び照明器具を提供することを目的とする。
【課題を解決するための手段】
【０００５】
請求項１に記載のインバータ回路用集積回路は、外部から電流又は電圧を可変制御することで発振周波数が可変される発振器と、放電ランプ点灯用ブリッジインバータ回路の少なくとも１対のスイッチング素子を発振器の発振周波数に基づいてスイッチング駆動するハイサイドドライバと、外部接続される素子定数で第１の応答時間を所定値に設定でき、入力信号を処理して２次電圧制御用出力信号を送出する第１の信号処理手段と、外部接続される素子定数で第１の応答時間よりも長い第２の応答時間を所定値に設定でき、入力信号を処理して点灯制御用出力信号を送出する第２の信号処理手段と、外部接続される素子定数で始動前の予熱時間を所定値に設定できる予熱制御手段と、予熱制御手段による予熱時間の終了後において、次段制御を外部において設定できるように状態変化信号を出力する状態変化出力端子と、外部接続される素子定数で遅延時間を変化させることができ、２次側過電圧を検出するための検出端子および検出電圧の大小に関係なく異常電圧を検出するための検出端子を有するとともに少なくとも始動前の予熱時間は各検出端子からの電圧検出が行われないように動作を遅延させる遅延手段を有し、遅延後において検出端子から２次側過電圧あるいは異常電圧を検出すると放電ランプの寿命末期を検出してインバータ回路の動作を停止保持するための制御を行う寿末検出手段と、インバータ回路が動作中の時にはその動作を停止保持し、また、停止保持中であればその停止保持を解除するリセット信号を入力するリセット端子を具備したものにある。
【０００６】
本発明のインバータ回路用集積回路は、放電ランプ点灯用ブリッジインバータ回路のスイッチング素子をスイッチング駆動するハイサイドドライバを内蔵しており、これにより、高電位側の電界効果トランジスタを駆動する場合に必要とするレベルシフト回路を外部に設ける必要が無くなる。放電ランプ点灯用ブリッジインバータ回路としては、ハーフブリッジインバータ回路であってもフルブリッジインバータ回路であってもよい。スイッチング素子としては電界効果トランジスタであってもバイポーラ形トランジスタであってもよい。
【０００７】
また、第１の信号処理手段を内蔵することで始動用２次電圧の出力制御ができ、しかも、出力のフィードバック制御を早い応答時間で迅速に行うことができる。また、外部接続される素子定数を変化させることで応答時間を任意に設定できる。第１の信号処理手段は早い応答時間が求められるので、コンパレータを使用した回路や速い動作速度の誤差増幅器を使用した回路が適している。  
また、第２の信号処理手段を内蔵することで点灯制御用の出力制御ができる。このときの出力のフィードバック制御は始動時の２次電圧制御に比べて遅い応答時間でよい。第２の信号処理手段は、通常の誤差増幅器を使用した回路が適している。
【０００８】
また、外部接続される素子定数で始動前の予熱時間を所定値に設定できる予熱制御手段と、予熱制御手段による予熱時間の終了後において、次段制御を外部において設定できるように状態変化信号を出力する状態変化出力端子を設けることにより、状態変化信号を取り込んで始動用２次電圧を発生する回路を外部で構築することが可能になり、予熱後の次段制御が仕様と異なる場合であっても容易に対処することができる。
【０００９】
また、寿末検出手段を内蔵し、少なくとも始動前の予熱時間は寿末検出を行わないように遅延手段が寿末検出動作を遅らせる。このときの遅延時間は、予熱時間相当であっても、予熱時間後の始動時まで含めた時間であってもよい。そして、放電ランプが不点状態になると遅延後において２次側過電圧を検出することで放電ランプの寿命末期を検出してインバータ回路の動作を停止保持する。２次側過電圧による寿末検出には、例えばコンパレータが適している。また、放電ランプが半波放電するようになると検出電圧の大小に関係しない異常電圧を検出することで放電ランプの寿命末期を検出してインバータ回路の動作を停止保持する。検出電圧の大小に関係しない異常電圧による寿末検出には、例えば運動コンパレータが適している。
【００１０】
また、リセット端子を設け、インバータ回路の動作が停止保持中にこのリセット端子にリセット信号を入力すると停止保持を解除し、リセット信号の入力を停止することで動作が開始される。また、動作中にリセット信号を入力すればリセット信号を入力している間動作が停止される。
【００１１】
請求項２に記載の放電ランプ点灯装置は、請求項１記載のインバータ回路用集積回路と、電源に接続され、インバータ回路用集積回路によって少なくとも１対のスイッチング素子がスイッチング駆動される放電ランプ点灯用ブリッジインバータ回路と、インバータ回路によって予熱、始動、点灯動作される放電ランプとを具備したものにある。  
請求項３に記載の照明器具は、請求項２記載の放電ランプ点灯装置と、放電ランプ点灯装置を配設した照明器具本体とを具備したものにある。
【発明の効果】
【００１２】
請求項１記載の発明によれば、放電ランプ点灯用ブリッジインバータ回路の駆動において、寿命末期検出によるインバータ回路の動作停止制御は勿論、予熱時間を変更する要求や始動電圧を変更する要求等に対しても充分に対応できるインバータ回路用集積回路を提供できる。  
請求項２記載の発明によれば、放電ランプ点灯用ブリッジインバータ回路の駆動において、寿命末期検出によるインバータ回路の動作停止制御は勿論、予熱時間を変更する要求や始動電圧を変更する要求等に対しても充分に対応できる放電ランプ点灯装置を提供できる。  
請求項３記載の発明によれば、放電ランプ点灯用ブリッジインバータ回路を使用した放電ランプ点灯装置を配設したものにおいて、寿命末期検出によるインバータ回路の動作停止制御は勿論、予熱時間を変更する要求や始動電圧を変更する要求等に対しても充分に対応できる照明器具を提供できる。
【発明を実施するための最良の形態】
【００１３】
以下、本発明の一実施の形態を、図面を参照して説明する。  
図１は放電ランプ点灯装置１の回路構成を示す図で、この放電ランプ点灯装置１は、直流電圧発生回路２、ブリッジインバータ回路としてのハーフブリッジインバータ回路３、放電ランプとしての蛍光ランプ４、前記インバータ回路３を駆動するインバータ回路用集積回路５、ランプ電圧検出回路６によって構成されている。
【００１４】
前記直流電圧発生回路２は、全波整流回路７及び平滑用コンデンサＣ1を有し、商用交流電源Ｖsの交流電圧を整流、平滑して直流電圧に変換し、この直流電圧を平滑用コンデンサＣ1の両端間に出力する。平滑用コンデンサＣ1の負極側は基板アースＥに接続されている。
【００１５】
前記インバータ回路３は、平滑用コンデンサＣ1の両端間に直列的に接続された１対のスイッチング素子としての電界効果トランジスタＦＥＴ1、ＦＥＴ2を有し、この各電界効果トランジスタＦＥＴ1、ＦＥＴ2のゲートを前記インバータ回路用集積回路５に接続している。前記電界効果トランジスタＦＥＴ2のドレイン、ソース間には、インダクタＬ1、直流カット用コンデンサＣ2および蛍光ランプ４の直列回路が接続されている。そして、蛍光ランプ４のフィラメント電極４ａ，４ｂ間の非電源側に始動用コンデンサＣ3を接続している。
【００１６】
前記インバータ回路３は、インバータ回路用集積回路５から各電界効果トランジスタＦＥＴ1、ＦＥＴ2のゲートに交互に駆動電圧が供給され、これにより、各電界効果トランジスタＦＥＴ1、ＦＥＴ2は交互にオン、オフ動作する。このオン、オフ動作により、平滑用コンデンサＣ1の両端間の直流電圧は、高周波電圧に変換され、電界効果トランジスタＦＥＴ2のドレイン、ソース間に出力される。
【００１７】
インバータ回路３から出力された高周波電圧は、インダクタＬ1、直流カット用コンデンサＣ2および始動用コンデンサＣ3の共振により共振電圧に変換される。共振電圧は、蛍光ランプ４のフィラメント電極４ａ，４ｂを予熱させるとともに、フィラメント電極４ａ，４ｂ間に印加され、蛍光ランプ４を点灯させる。
【００１８】
前記ランプ電圧検出回路６は、直流カット用コンデンサＣ2および蛍光ランプ４の間に設けられ、フィラメント電極４ａ，４ｂに接続された抵抗Ｒ1および抵抗Ｒ2の直列回路によって構成されている。そして、抵抗Ｒ2の両端電圧がインバータ回路用集積回路５に入力されている。
【００１９】
前記インバータ回路用集積回路５は、図２に示すように、外部から電流又は電圧を可変制御することで発振周波数が可変される発振器５１と、ハーフブリッジインバータ回路３の１対の電界効果トランジスタＦＥＴ1，ＦＥＴ2を発振器５１の発振周波数に基づいて交互にスイッチング駆動するハイサイドドライバ５２と、外部接続されるコンデンサや抵抗などの素子定数で第１の応答時間を所定値に設定でき、入力信号を処理して２次電圧制御用出力信号を送出する第１の信号処理手段５３と、外部接続されるコンデンサや抵抗などの素子定数で第１の応答時間よりも長い第２の応答時間を所定値に設定でき、入力信号を処理して点灯制御用出力信号を送出する第２の信号処理手段５４と、外部接続されるコンデンサや抵抗などの素子定数で始動前の予熱時間を所定値に設定できる予熱制御手段５５と、この予熱制御手段５５による予熱時間の終了後において、次段制御を外部において設定できるように状態変化信号を出力する状態変化出力端子５６ａ，５６ｂと、外部接続されるコンデンサや抵抗などの素子定数で遅延時間を変化させることができ、２次側過電圧を検出するための検出端子５７ａおよび検出電圧の大小に関係なく半波放電などの異常電圧を検出するための検出端子５７ｂを有するとともに少なくとも始動前の予熱時間は検出端子５７ａ，５７ｂからの電圧検出が行われないように動作を遅延させる遅延手段５８を有し、遅延後において検出端子５７ａ，５７ｂから２次側過電圧あるいは異常電圧を検出すると放電ランプ４の寿命末期を検出してハーフブリッジインバータ回路３の動作を停止保持するための制御を行う寿末検出手段５９と、ハーフブリッジインバータ回路３が動作中の時にはその動作を停止保持し、また、停止保持中であればその停止保持を解除するリセット信号ｒを入力するリセット端子６０を備えている。
【００２０】
前記発振器５１は、端子６１ａ，６１ｂに入力する電流又は電圧を可変制御することで発振周波数が可変される。前記第１の信号処理手段５３は、コンパレータや応答速度の速い誤差増幅器からなり、端子６２ａ，６２ｂに接続される抵抗やコンデンサなどの素子定数を変更することで第１の応答時間を可変できる。
【００２１】
前記第１の信号処理手段５３は、始動時に検出される２次電圧に対して短い第１の応答時間でフィードバック制御を行い、蛍光ランプ４に印加される２次電圧が所定の始動電圧を維持するように２次電圧制御用出力信号を送出する。これによりハーフブリッジインバータ回路３の動作周波数が迅速に可変制御されて所定の２次電圧が維持されるようになる。
【００２２】
前記第２の信号処理手段５４は、通常の誤差増幅器からなり、端子６２ａ，６２ｂに接続される抵抗やコンデンサなどの素子定数を変更することで第２の応答時間を可変できる。前記第２の信号処理手段５４は、点灯時に検出されるランプ電圧に対して比較的長い第２の応答時間でフィードバック制御を行い、蛍光ランプ４に印加されるランプ電圧が所定のランプ電圧を維持するように点灯制御用出力信号を送出する。
【００２３】
前記インバータ回路用集積回路５は、商用交流電源Ｖsが投入されると、先ず、予熱制御手段５５が動作し、発振器５１の発振周波数を制御し、ハイサイドドライバ５２を介して図３における最も高い周波数ｆ1で電界効果トランジスタＦＥＴ1，ＦＥＴ2を交互にスイッチング駆動する。このときは無負荷時の動作となるので放電ランプ４のフィラメント電極４ａ，４ｂ間に印加する出力電圧Ｖoutは無負荷時の特性曲線に基づく電圧となる。そして、予熱時間は遅延手段５８の動作により寿末検出手段５９による蛍光ランプ４の寿末検出は停止されている。
【００２４】
予熱制御手段５５による予熱時間が経過すると、続いて、第１の信号処理手段５３による２次電圧制御が開始される。すなわち、第１の信号処理手段５３は発振器５１の発振周波数を制御し、発振周波数をｆ1から低い周波数ｆ2に切替える。このときも無負荷時の動作となるので放電ランプ４のフィラメント電極４ａ，４ｂ間に印加する出力電圧Ｖoutは無負荷時の特性曲線に基づいて変化する。すなわち、図３に示すように高い電圧になる。この電圧印加によって蛍光ランプ４は始動される。このとき、第１の信号処理手段５３は２次電圧が変化すると短い応答時間で処理し、ハーフブリッジインバータ回路３の動作周波数が所定の２次電圧を維持するように発振器５１を制御する。そして、この始動時においても遅延手段５８の動作により寿末検出手段５９による蛍光ランプ４の寿末検出は停止されている。
【００２５】
始動により蛍光ランプ４が点灯するようになると、蛍光ランプ４にランプ電流が流れるようになるので、特性曲線が無負荷時から負荷時に切り替わる。また、制御が第１の信号処理手段５３から第２の信号処理手段５４に移行し、発振器５１の発振周波数もｆ3と低くなる。すなわち、ハーフブリッジインバータ回路３の動作周波数が蛍光ランプ４の点灯周波数になる。このとき、第２の信号処理手段５４はランプ電圧が変化すると比較的長い応答時間で処理し、ハーフブリッジインバータ回路３の動作周波数が所定のランプ電圧を維持するように発振器５１を制御する。そして、蛍光ランプ４が点灯を開始すると遅延手段５８の遅延動作が終了し寿末検出手段５９による蛍光ランプ４の寿末検出が可能になる。
【００２６】
前記予熱制御手段５５は、予熱時間を計時するタイマを備えている。そして、タイマは、図４に示すように、演算増幅器６５を用いたミラー積分回路６６で構成される。ミラー積分回路６５は、基準電圧Ｖrefを、抵抗Ｒ3を介して演算増幅器６５の非反転入力端子(+)に供給している。演算増幅器６５の非反転入力端子(+)は抵抗Ｒ4を介して接地されている。前記演算増幅器６５には電源としても基準電圧Ｖrefが供給されている。
【００２７】
前記予熱制御手段５５は、演算増幅器６５の反転入力端子(-)を端子６７ａに接続し、出力端子を端子６７ｂに接続し、集積回路５の外部において、両端子６７ａ，６７ｂ間にコンデンサＣ4を接続し、端子６７ａを、抵抗Ｒ5を介して接地している。
【００２８】
ところで、予熱時間は１秒程度と長く、これを満たすにはコンデンサとして容量の大きな電界コンデンサを使用することが考えられる。しかし、電界コンデンサは一般に許容部品のばらつき範囲が広く、また、使用中に容量が低下するという問題がある。この点、本実施の形態のように、ミラー積分回路６６を使用することで、予熱時間が長くても、コンデンサＣ4として精度のよいフィルムコンデンサやセラミックコンデンサを使用することができる。これにより、タイマとしての精度がよく、しかも、コンデンサ等外部素子の実装面積を小さくできる。
【００２９】
このミラー積分回路６６の出力電圧と時間との関係は、図５に示すようになる。すなわち、時間経過とともにミラー積分回路６６の出力端子から出力する出力電圧Ｖoutは、
１／Ｃ4×（Ｒ4・Ｖref）／｛Ｒ5・（Ｒ3＋Ｒ4）｝
のように、０〜Ｖrefまで略直線的に変化する。従って、出力電圧Ｖoutによって時間経過を精度良く計時できる。
【００３０】
この実施の形態においては、ハーフブリッジインバータ回路３の電界効果トランジスタＦＥＴ1、ＦＥＴ2をスイッチング駆動するハイサイドドライバ５２をインバータ回路用集積回路５に組み込んでいるので、高電位側の電界効果トランジスタＦＥＴ1を駆動する場合に必要とするレベルシフト回路をハイサイドドライバ５２内に組み込むことができ、集積回路５の外部に設ける必要は無くなる。
【００３１】
また、第１の信号処理手段５３をインバータ回路用集積回路５に組み込んでいるので、始動用２次電圧の出力制御ができる。しかも、外部接続されるコンデンサや抵抗などの素子定数で応答時間を自在に設定できる。すなわち、始動用２次電圧を蛍光ランプ４のフィラメント電極４ａ，４ｂ間に印加する時間を容易に調整することができる。
【００３２】
また、第２の信号処理手段５４をインバータ回路用集積回路５に組み込んでいるので、点灯制御用の出力制御ができる。しかも、外部接続されるコンデンサや抵抗などの素子定数を変化させることで点灯周波数を容易に可変できる。
【００３３】
また、外部接続されるコンデンサや抵抗などの素子定数で始動前の予熱時間を自在に設定できる予熱制御手段５５をインバータ回路用集積回路５に組み込んでいるので、予熱時間を容易に調整することができる。そして、予熱制御手段による予熱時間の終了後において、次段制御を外部において設定できるように状態変化信号を出力する状態変化出力端子をインバータ回路用集積回路５に設けているので、状態変化信号を取り込んで始動用２次電圧を発生する回路を外部で構築することも容易にできる。従って、予熱後の次段制御が仕様と異なる場合であっても容易に対処することができる。
【００３４】
また、始動前の予熱時間や始動時には寿末検出を行わないように遅延手段５８によって動作開始の遅延が行われる寿末検出手段５９をインバータ回路用集積回路５に組み込んでいるので、点灯時において蛍光ランプ４が無負荷状態に近くなったり、無負荷状態になったりして２次側に過電圧が発生することや、蛍光ランプ４が寿命末期になって半波放電するようになると、寿末検出手段５９が動作して、ハーフブリッジインバータ回路３の動作を停止保持することができる。特に、２次側に過電圧が発生したときには安全性を高めることができる。そして、インバータ回路動作の停止保持はインバータ回路用集積回路５に設けてリセット端子にリセット信号を入力することで容易に解除することができる。
【００３５】
また、予熱制御手段５５による予熱時間をミラー積分回路６６からなるタイマを使用して計時するようにしているので、予熱時間が長くても、精度良く計時動作を行うことができ、しかも、コンデンサ等外部素子の実装面積を小さくできる。
【００３６】
このように、インバータ回路用集積回路５は、寿命末期検出によるインバータ回路３の動作停止制御は勿論、予熱時間を変更する要求や始動電圧を変更する要求等に対しても充分に対応できる。
【００３７】
次に、本発明の他の実施の形態を説明する。この実施の形態は、前述した実施の形態に記載した放電ランプ点灯装置を組み込んだ照明器具について説明する。  
図６に示す照明器具１１は、天井などに設置される直付け照明器具であり、照明器具本体１２が天井などに取り付けられている。照明器具本体１２は、反射面１３を有するカバー１４が配設され、その両端に一対のランプソケット１５，１５が設けられている。
【００３８】
また、照明器具本体１２は、カバー１４内に放電ランプ点灯装置１６を配設している。放電ランプ点灯装置１６は、図１に示す放電ランプ点灯装置１と同じ構成であり、この放電ランプ点灯装置１６に蛍光ランプ４がランプソケット１５，１５を使用して接続される。
【００３９】
放電ランプ点灯装置１６は、寿命末期検出によるインバータ回路３の動作停止制御や予熱時間の変更や始動電圧の変更等をインバータ回路用集積回路によって行うことができ、従って、実装面積を小さくできる。従って、照明器具としてコンパクト化を図ることができる。
【図面の簡単な説明】
【００４０】
【図１】本発明の一実施の形態に係る放電ランプ点灯装置の回路構成を示すブロック図。
【図２】同実施の形態におけるインバータ回路用集積回路の要部構成を示すブロック図。
【図３】同実施の形態における、無負荷時および負荷時の、周波数−出力電圧特性を示すグラフ。
【図４】同実施の形態における予熱制御手段で使用する予熱時間計時用タイマの回路構成を示す図。
【図５】図４のタイマの時間−出力電圧特性を示すグラフ。
【図６】本発明の他の実施の形態に係る照明器具の構成を示す外観図。
【符号の説明】
【００４１】
１…放電ランプ点灯装置、３…ハーフブリッジインバータ回路、４…蛍光ランプ、５…インバータ回路用集積回路、５１…発振器、５２…ハイサイドドライバ、５３…第１の信号処理手段、５４…第２の信号処理手段、５５…予熱制御手段、５６ａ，５６ｂ…状態変化出力端子、５７ａ，５７ｂ…検出端子、５８…遅延手段、５９…寿末検出手段。
【図１】
2006210189.tif 000003
【図２】
2006210189.tif 000004
【図３】
2006210189.tif 000005
【図４】
2006210189.tif 000006
【図５】
2006210189.tif 000007
【図６】
2006210189.tif 000008